(57)【要約】【課題】２円ルールに適合しながら、より高いスピン量が得られるゴルフクラブヘッドを提供すること。【解決手段】フェース面に複数本のスコアラインが形成されたゴルフクラブヘッドにおいて、前記フェース面に対する前記スコアラインの側壁の角度をθ、前記側壁と前記フェース面とに内接する半径０．２５４ｍｍの仮想円の中心点をＣｐ、前記仮想円と前記フェース面との接点をＦ、前記仮想円と前記側壁との接点をＧ、前記スコアラインの縁部のうち、前記接点Ｆから前記接点Ｇまでの区間において前記中心点Ｃｐから最も離れた点をＰ、前記中心点Ｃｐから前記点Ｐまでの長さをＤ（ｍｍ）とすると、５６度≦θ≦８０度、０．２７０≦Ｄ≦０．２８７であることを特徴とする。【選択図】図３
2010240262.tif 000002
【特許請求の範囲】
【請求項１】
フェース面に複数本のスコアラインが形成されたゴルフクラブヘッドにおいて、
前記フェース面に対する前記スコアラインの側壁の角度をθ、前記側壁と前記フェース面とに内接する半径０．２５４ｍｍの仮想円の中心点をＣｐ、前記仮想円と前記フェース面との接点をＦ、前記仮想円と前記側壁との接点をＧ、前記スコアラインの縁部のうち、前記接点Ｆから前記接点Ｇまでの区間において前記中心点Ｃｐから最も離れた点をＰ、前記中心点Ｃｐから前記点Ｐまでの長さをＤ（ｍｍ）とすると、
５６度≦θ≦８０度、
０．２７０≦Ｄ≦０．２８７
であることを特徴とするゴルフクラブヘッド。
【請求項２】
前記スコアラインの縁部は、Ｄ＞０．２５４／ｃｏｓ（θ／２）を満たすように仮形成された後、Ｄ≦０．２８７を満たすように仮成形された縁部の一部を除去して形成されたことを特徴とする請求項１に記載のゴルフクラブヘッド。
【発明の詳細な説明】
【技術分野】
【０００１】
本発明はゴルフクラブヘッドに関し、特に、フェース面のスコアラインに関するものである。
【背景技術】
【０００２】
一般に、ゴルフクラブヘッドのフェース面にはトウ−ヒール方向に互いに平行な複数の直線状の溝が形成されている（特許文献１及び２）。この溝はスコアライン、マーキングライン、フェースライン等と呼ばれている（本書においてはスコアラインと称する。）。このスコアラインは、打球のバックスピン量を増大させたり、或いは、雨天時やラフからのショットの場合に、打球のバックスピン量が著しく低減することを抑制する効果がある。
【０００３】
ここで、競技用のゴルフクラブヘッドのスコアラインに関するルールでは、スコアラインの側壁とフェース面とに内接する半径０．０１０インチの仮想円と同心であって、半径０．０１１インチの仮想円の内側に、スコアラインの縁が位置しなければならないことを原則とするルールが規定されている（以下、２円ルールという。）。例外的に、この２円ルールでは、スコアラインの縁が、半径０．０１１インチの仮想円を超えていても、半径０．０１１インチの仮想円と、この仮想円を超えたスコアラインの縁の輪郭とが交わる２交点と、仮想円の中心とを結ぶ２線分間の狭角が１０度以下であれば適合とされる（以下、最大角度ルールという）。但し、スコアラインの縁が、仮想円の中心から０．０１１３インチ（０．２８７ｍｍ）を超えることは許されない（以下、最大突出ルールという）。
【先行技術文献】
【特許文献】
【０００４】
【特許文献１】特開平１０−２４８９７４号公報
【特許文献２】特開２００５−１６９１２９号公報
【発明の概要】
【発明が解決しようとする課題】
【０００５】
２円ルールを満たすためには、基本的に、フェース面に対するスコアラインの側壁の角度を小さくせざるを得ない。これは、打球のスピン量を低下させる。そして、フェース面に対するスコアラインの側壁の角度を大きくすると、そのままでは２円ルールに違反する。
【０００６】
本発明の目的は、２円ルールに適合しながら、より高いスピン量が得られるゴルフクラブヘッドを提供することにある。
【課題を解決するための手段】
【０００７】
本発明によれば、フェース面に複数本のスコアラインが形成されたゴルフクラブヘッドにおいて、前記フェース面に対する前記スコアラインの側壁の角度をθ、前記側壁と前記フェース面とに内接する半径０．２５４ｍｍの仮想円の中心点をＣｐ、前記仮想円と前記フェース面との接点をＦ、前記仮想円と前記側壁との接点をＧ、前記スコアラインの縁部のうち、前記接点Ｆから前記接点Ｇまでの区間において前記中心点Ｃｐから最も離れた点をＰ、前記中心点Ｃｐから前記点Ｐまでの長さをＤ（ｍｍ）とすると、５６度≦θ≦８０度、０．２７０≦Ｄ≦０．２８７であることを特徴とするゴルフクラブヘッドが提供される。
【発明の効果】
【０００８】
本発明によれば、２円ルールに適合しながら、より高いスピン量が得られるゴルフクラブヘッドを提供することができる。
【図面の簡単な説明】
【０００９】
【図１】本発明の一実施形態に係るゴルフクラブヘッド１の外観図である。
【図２】スコアライン２０の、その長手方向（トウ−ヒール方向）に直交する方向の断面図である。
【図３】図２の円Ｔ部分の拡大図である。
【図４】縁部２３の他の例を示す図である。
【図５】縁部２３の形成方法の例を示す図である。
【図６】試打結果を示す図である。
【発明を実施するための形態】
【００１０】
図１は本発明の一実施形態に係るゴルフクラブヘッド１の外観図である。同図の例はアイアン型のゴルフクラブヘッドに本発明を適用した例を示す。本発明は、アイアン型のゴルフクラブヘッド、特に、ミドルアイアン、ショートアイアン、ウェッジ型のゴルフクラブヘッドに好適であり、具体的には、ロフト角が２５度以上７０度以下、ヘッド重量が２００ｇ以上３２０ｇ以下のゴルフクラブヘッドに好適である。しかし、本発明はウッド型やユーティリティー型のゴルフクラブヘッドにも適用できる。
【００１１】
ゴルフクラブヘッド１は、そのフェース面（打撃面）１０に複数のスコアライン２０が形成されている。各々のスコアライン２０はトウ−ヒール方向に延在した、互いに平行な直線状の溝である。本実施形態の場合、各々のスコアライン２０の配設間隔（ピッチ）は等間隔（等ピッチ）であるが、配設間隔が異なっていてもよい。
【００１２】
図２は、スコアライン２０の、その長手方向（トウ−ヒール方向）に直交する方向の断面図である。本実施形態において、スコアライン２０の断面形状は、その長手方向の両端部（トウ側端部、ヒール側端部）を除き、同じである。また、各々のスコアライン２０の断面形状は同じである。
【００１３】
スコアライン２０は、一対の側壁２１及び底壁２２を有する。なお、一対の側壁２１の各下端を連続させて底壁２２が無い構成も採用可能である。スコアライン２０の断面形状は、その中心線ＣＬで左右対称である。幅Ｗはスコアライン２０の幅を示し、競技用ゴルフクラブのルールの、いわゆる３０度測定法により測定した場合の幅を意味する。深さＤｐはフェース面１０から底壁２２までの距離であり、０．０２０インチ（０．５０８ｍｍ）以下である。
【００１４】
仮想円Ｃ１は、側壁２１とフェース面１０とに内接する半径０．０１０インチ（０．２５４ｍｍ）の円であり、仮想円Ｃ２は、仮想円Ｃ１と同心であって、半径０．０１１インチの円である。角度θは、フェース面１０に対する側壁２１の角度である。上述した２円ルールに適合するためには、仮想円Ｃ２の内側にスコアライン２０の縁部２３（フェース面１０と側壁２１ａとの境界部分）が位置している必要がある。本実施形態の場合、縁部２３は仮想円Ｃ２の内側に位置している。
【００１５】
図３は図２の円Ｔ部分の拡大図であり、スコアライン２０の縁部２３の拡大断面図である。本実施形態の場合、縁部２３には丸みがつけられており、縁部２３の輪郭が円弧状に形成されている。ここで、中心点Ｃｐは仮想円Ｃ１（及び仮想円Ｃ２）の中心点であり、接点Ｇは側壁２１と仮想円Ｃ１との接点、接点Ｆはフェース面１０と仮想円Ｃ１との接点である。線Ｌ１はフェース面１０の仮想延長線で、線Ｌ２は側壁２１の仮想延長線である。点Ｐは、スコアライン２０の縁部２３の輪郭上の点であって、接点Ｆから接点Ｇまでの区間において中心点Ｃｐから最も離れた点である。点Ｐ'は線Ｌ１と線Ｌ２との交点であり、本実施形態のように縁部２３を円弧状に形成しなかった場合に、中心点Ｃｐから最も離れた点となる。半径Ｒ１は仮想円Ｃ１の半径であり、０．０１０インチ（０．２５４ｍｍ）である。長さＤは、中心点Ｃｐと点Ｐとの間の距離である。
【００１６】
ここで、スコアライン２０の縁部２３に本実施形態のように丸みをつけず、線Ｌ１、線Ｌ２で表される輪郭とした場合を想定する。中心点Ｃｐと点Ｐ'との間の距離（ｍｍ）は、図２の角度θにより、０．２５４／ｃｏｓ（θ／２）で表せる。そして、幾何学上、角度θが５６度以上となると、中心点Ｃｐと点Ｐ'との間の距離が０．０１１３インチを超えて２円ルールに違反する場合が生じ得る。その一方、角度θが５６度未満であると、打球のスピン量が大きく低下する場合がある。
【００１７】
そこで、本実施形態では、図２に示した角度θを５６度以上とし、０．２７０ｍｍ≦Ｄ≦０．２８７ｍｍとする。Ｄ＞０．２８７ｍｍとなると上記の最大突出ルールにより２円ルールに違反する。Ｄ＜０．２７０ｍｍであると、十分なスピン量が得られない場合がある。なお、縁部２３の一部が仮想円Ｃ２を超える場合、上記の最大角度ルールを満たすようにする。
【００１８】
角度θは８０度を超えると、加工の都合上、スコアライン２０の成形が必ずしも容易ではない。また、角度θが８０度を超えると、ゴルフボールに傷が付き易くなる場合がある。そこで、角度θは５６度以上８０度以下とする。
【００１９】
図３の例では、縁部２３の輪郭形状を円弧状としたが、縁部２３の輪郭形状はこれに限られない。図４の例では、縁部２３の輪郭形状は直線状であり、縁部２３はフェース面１０及びスコアライン２０の側壁２１の双方に対して傾斜した平坦面である。また、この他にも、縁部２３の輪郭形状を階段状等としてもよい。
【００２０】
なお、競技用ゴルフクラブヘッドの場合、スコアライン２０の断面積、隣接するスコアライン間のピッチが、ルール上、断面積Ａ（inch2）／ピッチ（inch）≦０．００３である必要がある。メートル単位の場合、断面積Ａ（mm2）／ピッチ（mm）≦０．０７６２である。ゴルフクラブヘッド１を競技用ゴルフクラブヘッドとする場合は、このルールを満たすように設計する。
【００２１】
次に、図３に示した隆起部２３の形成方法の例について説明する。まず、フェース面１０を形成する部品を用意する。この部品は、ゴルフクラブヘッドをフェース部材と本体部材とから構成する場合はフェース部材、本体部材とソール部材とから構成する場合は本体部材、本体部材のみから一部品で形成する場合は本体部材である。そして、部品にフェース面、仮スコアラインを形成する。続いて、不要な部分を除去して縁部２３を形成する。このように２段階の加工で形成することができる。
【００２２】
図５は図３の縁部２３の形成方法の例を示す図である。部品Ｍには、フェース面１０、仮スコアライン２０'が形成されている。仮縁部２３'は、図３に示した線Ｌ１、線Ｌ２で表される輪郭となっている。この段階では、点Ｐ'が仮想円Ｃ１の中心点Ｃｐから最も離れた点となるので、Ｄ＞０．２５４／ｃｏｓ（θ／２）である。フェース面１０、仮スコアライン２０''は切削加工、鍛造加工、鋳造加工等により形成できる。
【００２３】
次に、図５に示すように、不要部分Ｊを除去して最終の縁部２３を形成する。不要部分Ｊの削除方法としては、切削加工、粒状物をぶつける加工方法、研磨加工が挙げられる。粒状物をぶつける加工方法としては、サンドブラスト、ショットブラスト、ショットピーニング等を挙げられる。研磨加工は、機械研磨の他に、電解研磨、化学研磨が挙げられる。電解研磨では、例えば、部品Ｍを電解槽内の電解液に浸漬し、部品Ｍをプラス側、電解槽をマイナス側として直流電流を流すことで行う。このとき、スコアライン２０'に沿って対極等を設置すると、不要部分Ｊの除去がより正確に行える。化学研磨は、例えば、過酸化水素を主剤とした化学研磨液に部品Ｍを浸漬するか、或いは、化学研磨液を部品Ｍに噴霧することで行うことができる。
【００２４】
なお、本実施形態では、仮スコアラインの形成後に縁部２３を形成し、２段階の加工としたが、これらを同時に形成して１段階の加工とすることも可能である。
【実施例】
【００２５】
スコアラインの長さＤのみが異なるゴルフクラブヘッドを＃１乃至＃８まで８個作成し、これらをそれぞれ装着したゴルフクラブで試打を行った。各ゴルフクラブヘッドはロフト角が５８度のウェッジであり、そのスコアラインが図２に示した断面形状のものとし、いずれも、幅Ｗが０．８８ｍｍ、深さＤｐが０．４５ｍｍ、角度θが６０度、ピッチが３．６ｍｍで、長さＤのみが異なるものとした。試打は、グリーンから４０ヤード離れた地点からグリーンへ複数回ゴルフクラブを打撃することにより行い、目視でのゴルフボールのグリーン上での止まり具合からバックスピン量をＡ〜Ｅの５段階で相対的に評価し、また、ゴルフボールの傷つき具合を目視にてＡ〜Ｅの５段階で相対的に評価した。
【００２６】
図６はその試打結果を示す図である。長さＤは設計値である。バックスピン量及び傷つき度合いの評価Ａ〜Ｅは、それぞれ、Ａ：非常によい、Ｂ：良い、Ｃ：普通、Ｄ：悪い、Ｅ：非常に悪い、であり、試打者の感覚で、評価Ａ乃至Ｃが許容レベルであった。
【００２７】
図６の実験結果から、バックスピン量に関しては、長さＤが長い程、良い結果が出ており、傷つき具合に関しては、長さＤが長い程、悪い結果が出ている。バックスピン量の観点から、長さＤは少なくとも０．２７０ｍｍ以上は必要である。長さＤが、０．２７４ｍｍ以上でバックスピン量の評価がＢ以上であり、０．２８７ｍｍに至ると評価がＡであることから、長さＤは０．２８０ｍｍ以上であることが好ましい。
【００２８】
一方、上記の通り、長さＤが０．２８７ｍｍを超えると２円ルールに違反し、傷つき具合の評価もＤである（＃８）。よって、長さＤは、０．２７０ｍｍ以上、０．２８７ｍｍ以下であり、好ましくは、０．２８０ｍｍ以上、０．２８７ｍｍ以下である。
【図１】
2010240262.tif 000003
【図２】
2010240262.tif 000004
【図３】
2010240262.tif 000005
【図４】
2010240262.tif 000006
【図５】
2010240262.tif 000007
【図６】
2010240262.tif 000008